(57)【要約】【課題】人が避難する際に通過し易く、閉鎖位置に障害物があったとして影響を受けることがない、火災区画と非火災区画とに区分し、煙が非火災区画側に拡散することを防止できる防煙設備を提供する。【解決手段】火災発生時に、天井面Ｃ側から床面Ｆに向けて略鉛直方向に扇形状の噴霧パターンで水を噴霧して水幕ＷＣを形成するように複数の噴霧ヘッド４と、平常時は天井面Ｃに設けた筐体３に格納され、火災時は水幕ＷＣと略平行となるように垂れ下がるように伸展する耐火性のシートで形成された防煙カーテン２とを備える。【選択図】図１
2014064747.tif 000002
【特許請求の範囲】
【請求項１】
火災発生時、建物等の内部空間を仕切って、火災発生箇所のある火災区画と火災発生箇所のない非火災区画とに区分し、火災区画から非火災区画に煙が拡散することを防止する防煙設備であって、
火災発生時に、天井面側から床面に向けて略鉛直方向に扇状の噴霧パターンで水を噴霧し、該噴霧パターンが互いに重なり合って水幕を形成するように設けられる複数の噴霧ヘッドと、
耐火性のシートで形成されて、平常時は天井面の全幅に亘って設けた筐体に格納され、火災時は前記水幕と所定の間隔で略平行となるように、天井面側から床面に向けて鉛直に垂れ下がるように伸展して、上部は天井との間を閉塞し、底部が床面と接すると共に側端が壁面と接してそれぞれ閉塞するように設けられる防煙カーテンと、
を備えることを特徴とする防煙設備。
【請求項２】
前記防煙カーテンは、閉鎖時に互いに重なりあうと共に、左右のいずれかを捲って人が通過することができる鉛直方向の切込部を有することを特徴とする請求項１に記載の防煙設備。
【請求項３】
前記防煙カーテンは、伸展したときの状態において、少なくとも、前記切込部の重なり部分の全長、底辺の全幅、壁面と接する両側辺の全長、のいずれか１つ乃至２つ又はすべてに亘って、吸水性樹脂を収納した浸水性の袋部を有することを特徴とする請求項１又は２に記載の防煙設備。
【請求項４】
前記水幕は、少なくとも火災区画側、非火災区画側のいずれか又は両方に形成されるように制御されることを特徴とする請求項１乃至３のいずれかに記載の防煙設備。
【請求項５】
前記噴霧ヘッドは、前記水幕が前記防煙カーテンより離れる方向に向かうように、傾けて設けられることを特徴とする請求項１乃至４のいずれかに記載の防煙設備。
【請求項６】
天井面に接し両側の壁面までの全幅を有して設けられる垂れ壁であって、前記噴霧ヘッドから所定の間隔で前記防煙カーテンと異なる側に設けられ、前記扇状の噴霧パターンが重なり合って水幕が形成される高さよりも低い位置から天井面に至るまでの長さを有し、前記水幕が形成される方向と略平行に設けられる垂れ壁を備えることを特徴とする請求項１乃至５のいずれかに記載の防煙設備。
【発明の詳細な説明】
【技術分野】
【０００１】
この発明は、火災発生時に建物等の内部空間を仕切って、火災発生箇所のある火災区画と火災発生箇所のない非火災区画とに区分し、火災区画から非火災区画に煙が拡散することを防止する防煙設備に関する。
【背景技術】
【０００２】
従来、建物等の内部で発生した火災に対し、火災の拡大や煙の拡散を防止するために、火災発生箇所の空間を防火戸等で仕切って、火災発生箇所のある火災区画と火災発生箇所のない非火災区画（避難区画）とに区分することが一般に行われている。
【０００３】
そして、防火戸に代えて、人が避難する際に通過し易く、煙の拡散を防止する防煙カーテン（防煙スクリーンとも称される）を用いることが提案されている（特許文献１参照）。しかしながら、防火戸や防煙カーテンの場合、閉鎖位置に障害物が置かれていたりすると、完全には閉鎖させることができず、煙が床面や障害物との間にできる隙間から漏れ出てしまい、非火災区画側に拡散してしまう。
【０００４】
一方、特開２００４−３１３７５３号公報（特許文献２）には、トンネル形状の構築物等を対象に設けられる設備についてのものではあるが、噴霧ヘッドから水を噴霧して形成した水幕によって煙を洗い流すと共に対象の空間を複数の区画に区分し、それにより防火と防煙をする技術が開示されている。
【先行技術文献】
【特許文献】
【０００５】
【特許文献１】実開昭６０−０７１２３４号公報
【特許文献２】特開２００４−３１３７５３号公報
【発明の概要】
【発明が解決しようとする課題】
【０００６】
防火戸や防煙カーテンに代えて、前記特許文献２に記載の水幕の技術を利用すれば、水幕の形成位置に障害物が置かれていたりしても、隙間ができないようにしつつ、水幕を形成することが可能である。
【０００７】
しかしながら、前記の水幕の技術を利用しても、水幕による煙の洗い流しの効果は実際には低いと考えられ、又、噴霧ヘッドから放出される水は煙を引き込みながら噴霧されることになるので、噴霧により煙を拡散させてしまい、水幕を形成しても、煙が水幕を越えて非火災区画側に拡散してしまう。
【０００８】
つまり、従来の技術である防煙カーテンや水幕では、火災区画と非火災区画とに区分しようとしても、何れも、煙が非火災区画側に拡散してしまうという課題がある。
【０００９】
この発明は、前記の事情に鑑み、人が避難する際に通過し易く、閉鎖位置に障害物があったとして影響を受けることがない、火災区画と非火災区画とを区分し、煙が非火災区画側に拡散することを防止できる防煙設備を提供することを目的とする。
【課題を解決するための手段】
【００１０】
この発明は、火災発生時、建物等の内部空間を仕切って、火災発生箇所のある火災区画と火災発生箇所のない非火災区画とに区分し、火災区画から非火災区画に煙が拡散することを防止する防煙設備であって、火災発生時に、天井面側から床面に向けて略鉛直方向に扇状の噴霧パターンで水を噴霧し、該噴霧パターンが互いに重なり合って水幕を形成するように設けられる複数の噴霧ヘッドと、耐火性のシートで形成されて、平常時は天井面の全幅に亘って設けた筐体に格納され、火災時は前記水幕と所定の間隔で略平行となるように、天井面側から床面に向けて鉛直に垂れ下がるように伸展して、上部は天井との間を閉塞し、底部が床面と接すると共に側端が壁面と接してそれぞれ閉塞するように設けられる防煙カーテンと、を備えることを特徴とする防煙設備である。
【００１１】
又、この発明は、前記防煙カーテンは、閉鎖時に互いに重なりあうと共に、左右のいずれかを捲って人が通過することができる鉛直方向の切込部を有することを特徴とする防煙設備である。
【００１２】
又、この発明は、前記防煙カーテンは、伸展したときの状態において、少なくとも、前記切込部の重なり部分の全長、底辺の全幅、壁面と接する両側辺の全長、のいずれか１つ乃至２つ又はすべてに亘って、吸水性樹脂を収納した浸水性の袋部を有することを特徴とする防煙設備である。
【００１３】
又、この発明は、前記水幕は、少なくとも火災区画側、非火災区画側のいずれか又は両方に形成されるように制御されることを特徴とする防煙設備である。
【００１４】
又、この発明は、前記噴霧ヘッドは、前記水幕が前記防煙カーテンより離れる方向に向かうように、傾けて設けられることを特徴とする防煙設備である。
【００１５】
又、この発明は、天井面に接し両側の壁面までの全幅を有して設けられる垂れ壁であって、前記噴霧ヘッドから所定の間隔で前記防煙カーテンと異なる側に設けられ、前記扇状の噴霧パターンが重なり合って水幕が形成される高さよりも低い位置から天井面に至るまでの長さを有し、前記水幕が形成される方向と略平行に設けられる垂れ壁を備えることを特徴とする防煙設備である。
【発明の効果】
【００１６】
この発明によれば、水幕とその水幕と所定の間隔で隣接する防煙カーテンとによって、建物等の内部空間を仕切り、火災発生箇所のある火災区画と火災発生箇所のない非火災区画とに区分して、火災区画から非火災区画に煙が拡散することを防止できる。
【００１７】
従って、この発明によれば、人が避難する際に通過し易く、閉鎖位置に障害物があったとして影響を受けることがない、火災区画と非火災区画とを区分し、煙が非火災区画側に拡散することを防止できる防煙設備を提供することができる。
【００１８】
また、閉鎖時に互いに重なりあうと共に、左右のいずれかを捲って人が通過することができる鉛直方向の切込部を有するので、人が避難するために容易に通過できると共に、左右の重なり部で煙を遮断することができる。
【００１９】
また、防煙カーテンと壁面および床面との間に隙間が生じたとしても、また、閉鎖位置に障害物があったとして、水幕によって濡れた壁面および床面と防煙カーテンとの間が水密されるので、火災区画から非火災区画へ煙が漏れることを防止できる。
【００２０】
また、防煙カーテンは、伸展したときの状態において、少なくとも、前記切込部の重なり部分の全長、底辺の全幅、壁面と接する両側辺の全長、のいずれか１つ乃至２つ又はすべてに亘って、吸水性樹脂を収納した浸水性の袋部を有するので、水幕によって濡れた壁面および床面、水幕からの飛沫により吸水性樹脂が吸水してゲル状になり、重さを増して防煙カーテンが床面により密着する、防煙カーテンと床面、壁面との間や切込部の密閉性が増す、という効果がある。
【００２１】
また、水幕が防煙シートより離れる方向に向かうように、噴霧ヘッドを傾けて設けることによって、火災区画からの煙を押し返す気流を得ることができる。
【００２２】
また、天井面に接し両側の壁面までの全幅を有して設けられる垂れ壁であって、噴霧ヘッドから所定の間隔で防煙シートと異なる側に設けられ、扇状の噴霧パターンが重なり合って水幕が形成される高さよりも低い位置から天井面に至るまでの長さを有し、前記水幕が形成される方向と略平行に設けられる垂れ壁を備えるので、火災区画側に水幕を形成する場合に、天井面を走って突進してくる熱気流を食い止めると共に、熱気流によって水幕の形成を阻害されることを防止できる。
【図面の簡単な説明】
【００２３】
【図１】この発明の第１の実施形態を示し、構成の概要を側面視で示した図である。
【図２】同上を示し、構成の概要を正面視で示した図である。
【図３】この発明の第２の実施形態を示し、図１に相当する図である。
【図４】この発明の第３の実施形態を示し、図１に相当する図である。
【発明を実施するための形態】
【００２４】
この発明の実施形態を図１乃至図４に基いて説明する。
【００２５】
［第１の実施形態］
先ず、図１及び図２に基いて、この発明の第１の実施形態の防煙設備１−１について説明する。
【００２６】
防煙設備１−１は、建物等の内部空間を仕切って区画しようとする箇所に、前記空間を横断するように設けられる。この防煙設備１−１は、火災時に垂下する防煙カーテン２と、平常時に防煙カーテン２を収納する筐体３と、天井面Ｃに設けられる垂れ壁５と、防煙カーテン２と垂れ壁の間にこれらと平行に配設される複数の噴霧ヘッド４とで構成される。以下、これらの構成要素について詳細に説明する。
【００２７】
＜防煙カーテン＞
防煙カーテン２は、耐火性シートによって形成され、区画する箇所の全幅に亘る幅と天井面Ｃから床面Ｆに至る長さを有し、区画しようとする箇所の空間を完全に仕切る面積と形状を備え、平常時は、天井面Ｃに設けられた筐体３内に収納される。そして火災発生時は、後述する水幕ＷＣと略平行となるように、下端部を下方に向けて天井面Ｃ側から床面Ｆに向けて鉛直方向に垂れ下がるように伸展する。そして、上部は天井面Ｃとの間を閉塞し、底部は床面Ｆと接すると共に側端が壁面と接してそれぞれ閉塞し、火災発生箇所のある火災区画Ｒ１側の空間と火災発生箇所のない非火災区画Ｒ２側の空間とを区分し、閉塞する。
【００２８】
また、防煙カーテン２は、伸展して閉鎖したときの状態で、左右に分かれる鉛直方向の切込部２ａを有し、この切込部は左右の部材が互いに重なり合って閉じるように形成され、左右のいずれかを捲り上げることが出来るようにし、人が容易に通過して避難できるように構成する。
【００２９】
＜筐体＞
筐体３は、区画する箇所の全幅に亘る幅を有して天井部Ｃに設けられて、筐体３と天井面Ｃとの間を閉塞するように、あるいは、天井内に埋め込むように、取り付けられ、常時は防煙カーテン２を収納する。
【００３０】
防煙カーテン２の収納方法は、中心軸を有するドラム型の回転機構へ防煙カーテン２を巻き取る、防煙カーテン２を折りたたむ、等、適宜選択される。そして、火災時には、防煙カーテン２の自重や防煙カーテン２を巻き取った前記回転機構の回転駆動等によって、防煙カーテン２の下端を下方に向けて、床面Ｆに接するまで伸展させる機構を備える。
【００３１】
防煙カーテン２を伸展させる機構は、例えば、防煙カーテン２がその自重で落下しないように係止する係止機構を火災時に解放して、防煙カーテン２を自重で降下させるようにしても良い。また、防煙カーテン２を巻き取った前記回転機構を回転駆動して防煙カーテン２を伸展させるようにしても良い。
【００３２】
そして、火災時に自動的に防煙カーテン２を伸展させるには、図示しない火災感知器の火災発報に連動して動作するソレノイドで前記係止機構を解除させても良い。また、同様に連動して動作する電動モーターによって前記回転機構を回転駆動させても良い。また、火災時に水噴霧する噴霧ヘッド４へ圧送される水の水圧を利用して、前記係止機構の解除、前記回転機構の回転駆動を行っても良い。
【００３３】
なお、筐体３の底部には、底部全面におよぶ開口、又は、全幅に亘るスリット状の開口を備え、火災時に防煙カーテン２が垂下して伸展できるようにする。そして、火災時に筐体３から垂下して伸展した防煙カーテン２が落下しないようにその上端で支持し、防煙カーテン２の上部は天井面Ｃとの間を閉塞するようにする。
【００３４】
＜噴霧ヘッド＞
噴霧ヘッド４は天井面Ｃに複数設けられ、火災時には天井面Ｃ側から床面Ｆに向けて略鉛直方向Ａ２に水を噴霧する。噴霧ヘッド４は、扇形状の噴霧パターンを有するノズルからなるものが用いられ、区画する箇所の全幅に亘って防煙カーテン２と略平行に水幕ＷＣが形成されるように、防煙カーテン２と平行に複数が列状に配される。そして、個々の噴霧ヘッド４が噴霧した扇形状の噴霧パターンは互いに重なり合って水幕を形成する（図２を参照）。すなわち、区画しようとする箇所の全幅に亘って天井面Ｃに列を成すように設けられた複数の噴霧ヘッド４から扇形状に噴霧された水は、それぞれの扇形状の噴霧パターンが噴霧ヘッド４同士で重なり合うようにして、直下に一つのシート状の水幕ＷＣを形成する。
【００３５】
本実施形態では、水幕ＷＣが防煙カーテン２の火災区画Ｒ１側に形成され、水幕ＷＣが防煙カーテン２と略平行となるようにする。
【００３６】
なお、本実施形態の変形として、水幕ＷＣが僅かに火災区画Ｒ１側に向かうように、噴霧ヘッド４を火災区画Ｒ１側、すなわち防煙カーテン２から離れる方向へ僅かに傾けて設けても良い。
【００３７】
＜垂れ壁＞
本実施形態は、水幕ＷＣを防煙カーテン２より火災区画Ｒ１側に形成するものである。噴霧ヘッド４から噴霧した扇形状の噴霧パターンが重なり合う高さより上方では、水幕ＷＣの形成が不完全であり、噴霧ヘッド４同士の間には水幕が形成されていない空間がある。
【００３８】
したがって、火災区画Ｒ１側から火災による熱気流Ａ１に乗って天井面Ｃに沿って押し寄せる煙層は、水幕が形成されていない前記空間を通り抜けてしまい、このままでは水幕ＷＣの防煙機能が十分には働かない。また、熱気流Ａ１が強い場合は、噴霧ヘッド４から噴霧された水が防煙カーテン２に向かって流されてしまい、防煙カーテン２と略平行である水幕ＷＣの形成を阻害されてしまう虞がある。
【００３９】
そこで、本実施形態では、火災区画Ｒ１側から噴霧ヘッド４の近傍に押し寄せる煙層を遮蔽する為に、噴霧ヘッド４の火災区画Ｒ１側、すなわち噴霧ヘッド４の防煙カーテン２と異なる側の天井面Ｃに垂れ壁５を設ける。
【００４０】
垂れ壁５は、上述した目的で設置するため、幅は区画を形成しようとする全幅を有して左右双方の壁面に接し、また上辺は天井面Ｃに接し、上方および側方から煙が通り抜けないようにする。また、垂れ壁５の下辺は、噴霧ヘッド４から噴霧した扇形状の噴霧パターン同士が重なり合って水幕ＷＣを形成する高さより下方に設ける。つまり、垂れ壁５より下方の空間では、水幕ＷＣが十分に形成されていることとなる。
【００４１】
また、垂れ壁５と噴霧ヘッド４との間隔は、噴霧ヘッド４からの水噴霧を阻害しない程度に離すようにする。ここで、噴霧ヘッド４の水噴霧を阻害せずに若干の飛沫がかかる程度にしておくと、垂れ壁５の濡れた下辺が煙の粒子を吸収する効果もある。なお、水幕ＷＣを火災区画Ｒ１側、すなわち防煙カーテン２より離れる側に傾けて形成する場合は、噴霧ヘッド４の噴霧方向も同様に傾けて設けられるので、垂れ壁５の最下辺は噴霧ヘッド４の水噴霧を阻害しない程度に、噴霧ヘッド４の噴霧方向と同じ方向に傾けるか、離して設けるようにすると良い。
【００４２】
このように垂れ壁５を構成することによって、火災区画Ｒ１側から火災による熱気流Ａ１に乗って天井面Ｃに沿って押し寄せる煙層が、水幕が形成されていない噴霧ヘッド４付近の前記空間を通り抜けることはなく、また、熱気流Ａ１が強い場合でも、噴霧ヘッド４から噴霧された水が防煙カーテン２に向かって流されて水幕ＷＣの形成が阻害されることがない。
【００４３】
なお、垂れ壁５は、平常時は天井面Ｃに収納されるようにし、火災時に垂下するようにしても良い。この場合、防煙カーテン２と同様に、図示しない火災感知器に連動して垂下するようにすれば良い。
【００４４】
次に本実施形態の防煙設備１−１の作用について説明する。
【００４５】
防煙設備１−１は、前記のように構成され、水幕ＷＣとその水幕ＷＣと略平行に間隔を置いて隣接する防煙カーテン２とにより、火災Ｘのある火災区画Ｒ１から火災のない非火災区画Ｒ２に煙が拡散することを二重に防止する。
【００４６】
これだけであれば従来技術の組み合わせに過ぎないものであるが、本実施形態の防煙設備１−１は、従来例にない作用によって新たな効果を奏するものである。
【００４７】
即ち、防煙設備１−１は、火災Ｘよる熱気流に乗って天井面Ｃに沿って押し寄せる煙層Ａ１が一旦垂れ壁５で食い止められ、噴霧ヘッド４から噴霧された水と共に下降流Ａ２方向に沿って流れて床面Ｆに至る。そして、床面Ｆに達した下降流は床面Ｆに沿ってＡ４方向に拡散しようとするが、非火災区画Ｒ２側には防煙カーテン２があるので、総じて火災区画Ｒ１側へと流れを変える。つまり、煙は火災区画Ｒ１側へ押し戻されることとなる。さらに、水幕ＷＣを形成する方向を僅かに火災区画Ｒ１側へ傾けておけば、煙を火災区画Ｒ１側へ押し戻す効果が増大することは自明である。
【００４８】
また、耐火性シートで形成されて天井面Ｃから吊した防煙カーテン２と床面Ｆおよび壁面との間を完全に密封することは、そのままでは困難であり、必然的に隙間が生じるので、防煙カーテン２単独での遮蔽は限定的である。
【００４９】
しかしながら、本実施形態では水幕ＷＣを形成し、床面Ｆおよび壁面にも水幕ＷＣが及ぶので、前記隙間に水が入り込んで水密することができる。例えば、水幕ＷＣが壁面に当たると、壁面に当たった水は反射され、一部は壁面に沿って防煙カーテン２の方向Ａ３へと向かうので、壁面と防煙カーテン２との間を水密する効果を奏する。また、床面Ｆについては、水幕ＷＣは床面に向かって噴霧されるものなので、防煙カーテン２と床面Ｆとの間に、床面Ｆに溜まった水の層が入り込むことは自明であり、これも隙間を水密して、火災区画Ｒ１側から非火災区画Ｒ２側への煙の流入を防止できることは述べるまでもない。
【００５０】
このように、本実施形態の防煙設備１−１は、従来の防煙カーテン、従来の水幕による防煙設備のそれぞれが有する効果を超えた、従来に無い効果を奏するものである。
【００５１】
次に、防煙設備１−１の一つの変形例について説明する。
【００５２】
防煙カーテン２は、伸展したときの状態において、底辺の全幅に亘って、吸水性樹脂を収納した浸水性の袋部を備えるようにしても良い。その吸水性樹脂が床面Ｆに溜まった水を吸水することによって、防煙カーテン２の自重が増し、床面Ｆと密着して隙間が形成され難いようになると共に、吸水して膨張し、ゲル状になった吸水性樹脂を収納した袋部が隙間を埋めるように作用する。
【００５３】
なお、吸水性樹脂としては、例えば、紙おむつや保冷剤等に用いられて広く普及しているポリアクリル酸ナトリウム塩等の高吸水性高分子物質を主成分とする物質を用いると良い。吸水性樹脂を浸水性の袋部に収納する理由は、袋部内に収納された吸水性樹脂に水を吸水させるためである。また、上記吸水性樹脂に代わるものとして、高分子物質であるサクランを用いても良い。サクランは僅か１ｇで６ｋｇもの水を吸収できるので、僅かな使用量で済み、従来の吸水性樹脂よりも大きな吸水力であることから、前記した自重増加および膨張の効果を高めることができる。
【００５４】
また、防煙カーテン２は、伸展したときの状態において、壁面と接する両側辺の全長に亘って、吸水性樹脂を収納した浸水性の袋部を備えるようにしても良い。水幕ＷＣが壁面で反射して防煙カーテン２に到達すると、その水を吸水性樹脂が吸収して膨張し、ゲル状になった吸水性樹脂を収納した袋部が防煙カーテン２と壁面の隙間を埋めるように作用する。吸水性樹脂として、ポリアクリル酸ナトリウム塩やサクラン等の高吸水性高分子物質を主成分とする物質を用いると良いことは、上述した通りである。
【００５５】
また、防煙カーテン２は、伸展したときの状態において、前記切込部の重なり部分の全長に亘って、吸水性樹脂を収納した浸水性の袋部を備えるようにしても良い。水幕ＷＣの飛沫が防煙カーテン２に到達すると、その水を吸水性樹脂が吸収して膨張し、ゲル状になった吸水性樹脂を収納した袋部が防煙カーテン２の切込部の重なり部分の隙間を埋めるように作用する。吸水性樹脂として、ポリアクリル酸ナトリウム塩やサクラン等の高吸水性高分子物質を主成分とする物質を用いると良いことは、上述した通りである。
【００５６】
［第２の実施形態］
次に、図３に基いて、この発明の第２の実施形態の防煙設備１−２について説明する。第１の実施形態の防煙設備１−１と同じ構成要素については、単に同一の図面符号を付して、その説明を省略する。
【００５７】
第２の実施形態の防煙設備１−２が第１の実施形態の防煙設備１−１と異なる点は、第１に、防煙カーテン２の火災区画Ｒ１側に水幕ＷＣを形成するのに代えて、防煙カーテン２の非火災区画Ｒ２側に水幕ＷＣを形成することにある。また、第２に、前記水幕ＷＣ位置の変更に伴って、噴霧ヘッド４を防煙カーテン２の火災区画Ｒ１側に設けることに代えて、噴霧ヘッド４を防煙カーテン２の非火災区画Ｒ２側に設けたことにある。また、第３に、噴霧ヘッド４を非火災区画Ｒ２側に設けたことに伴って、不要となった垂れ壁５を除いた点にある。
【００５８】
上記変更点に伴い、火災区画Ｒ１において煙を押し戻す気流を起こせなくなったものの、水幕ＷＣが壁面および床面Ｆに当たって反射した水の一部が、防煙カーテン２の非火災区画Ｒ２側から火災区画Ｒ１側に向かって流れる方向Ａ５，Ａ６となる。このことにより、防煙カーテン２と壁面および床面Ｆとの隙間から非火災区画Ｒ２側へ漏れ出そうとする火災区画Ｒ１側からの煙を前記水の流れで押し戻すことができるという効果を奏する。その他の構成、作用、効果は、第１の実施形態の防煙設備１−１と同じである。
【００５９】
［第３の実施形態］
次に、図４に基いて、この発明の第３の実施形態の防煙設備１−３について説明する。第１の実施形態の防煙設備１−１と同じ構成要素については、単に同一の図面符号を付して、その説明を省略する。
【００６０】
本実施形態の防煙設備１−３が第１の実施形態の防煙設備１−１と異なる点は、第１に、防煙カーテン２の火災区画Ｒ１側に水幕ＷＣを形成するのに加えて、非火災区画Ｒ２側にも水幕ＷＣを形成することにある。第２に、前記水幕ＷＣを加えたことに伴い、防煙カーテン２の非火災区画Ｒ２側にも噴霧ヘッド４を設けたことにある。
【００６１】
その他の構成は、第１の実施形態の防煙設備１−１と同じである。
【００６２】
この防煙設備１−３によれば、第１の実施形態の防煙設備１−１と同様、火災区画Ｒ１側に形成される水幕ＷＣによって火災区画Ｒ１側の煙を押し戻すと共に防煙カーテン２と壁面および床面Ｆとの間を水密することができる。加えて、第２の実施形態の防煙設備１−２と同様、防煙カーテン２と壁面及び床面Ｆとの間を水密すると共に、この間を火災区画Ｒ１側から非火災区画Ｒ２側に抜け出そうとする煙を火災区画Ｒ１側に押し戻すことができる。
【００６３】
以上の防煙設備１−１〜１−３は、煙のみならず、火災による有害ガスや煤等の燃焼生成物、熱気流が、非火災区画Ｒ２側へ流れ込むことを防止する効果も奏する。又、水幕ＷＣによって、火災区画Ｒ１から非火災区画Ｒ２への輻射熱を遮蔽し、非火災区画Ｒ２の安全を図ることができるという効果も奏する。又、水幕ＷＣを形成するための水噴霧によって、火災の拡大を抑制する効果も奏する。
【００６４】
以上、この発明の実施形態について詳細に説明したが、この発明は上記の実施形態に限定されるものではなく、この発明の要旨の範囲内で種々の変更等が可能である。
【００６５】
例えば、噴霧ヘッド４から放出する水に代えて、気体を用いても良い。そして、その気体は通常の空気に限らず、火災源に酸素を供給しないよう、酸素濃度を低めた空気、二酸化炭素、窒素、等であっても良い。
【００６６】
又、例えば、火災発生場所が逆になった場合に備え、垂れ壁５と噴霧ヘッド４をＲ１側とＲ２側の両方に設け、火災Ｘの発生がＲ１側のときはＲ１側の噴霧ヘッド４によって、逆に火災Ｘの発生がＲ２側のときはＲ２側の噴霧ヘッド４によって、第１の実施形態のように水幕ＷＣを火災区画側に形成するように制御するようにしても良い。
【００６７】
又、例えば、噴霧ヘッド４をＲ１側とＲ２側の両方に設け、火災Ｘの発生がＲ１側のときはＲ２側の噴霧ヘッド４によって、逆に火災Ｘの発生がＲ２側のときはＲ１側の噴霧ヘッド４によって、第２の実施形態のように水幕ＷＣを非火災区画側に形成するように制御するようにしても良い。
【００６８】
又、例えば、火災発生場所が逆になった場合に備え、垂れ壁５と噴霧ヘッド４をＲ１側とＲ２側の両方に設け、火災Ｘの発生がＲ１側、Ｒ２側のいずれであっても、Ｒ１側とＲ２側の両方の噴霧ヘッド４によって、第３の実施形態のように水幕ＷＣを火災区画側と非火災区画側の両方に形成するように制御するようにしても良い。
【００６９】
又、例えば、このとき、平常時は垂れ壁５を天井面Ｃに収納するようにしておき、火災発生時に、火災区画側、または、火災区画側と非火災区画側の両方の垂れ壁５を垂下させるように制御しても良い。
【符号の説明】
【００７０】
１−１〜１−３：防煙設備  ２：防煙カーテン  ２ａ：切込部
２ｂ、２ｃ、２ｄ：吸水性樹脂を収納した浸水性の袋部
３：筐体  ４：噴霧ヘッド  ５：垂れ壁
Ａ１〜Ａ６：流れ方向  Ｃ：天井面  Ｆ：床面  Ｒ１：火災区画
Ｒ２：非火災区画  ＷＣ：水幕  Ｘ：火災
【図１】
2014064747.tif 000003
【図２】
2014064747.tif 000004
【図３】
2014064747.tif 000005
【図４】
2014064747.tif 000006